(57)【要約】【課題】  ペットボトルやビン等に筒状に貼られたラベルの剥離や、掃除用に用いられている粘着テープロールのテープを、一回の動作で簡単に剥がせるようにすること。【解決手段】  幅方向に第一の切れ目を持つミシン目７と第二の切れ目を持つミシン目９を、ほぼ平行に設けて剥離導入部１３とし、第二のミシン目の一部に剥離誘導部１９を設ける。【選択図】図２
2008044669.tif 000002
【特許請求の範囲】
【請求項１】
筒状に巻く広告宣伝や包装用に用いたり、ロール状に巻き、略１回転ごとに剥離して使用する薄いフィルム、またはテープにおいて、幅方向に切れ目を持つ二本のミシン目をほぼ平行に構成して剥離導入部とし、一方のミシン目の一部に該シートやテープを剥離しやすくする剥離誘導部を設けたことを特徴とする剥離用ミシン目の構造。
【請求項２】
前記二本のミシン目において、一方のミシン目の切れ目位置と、他方のミシン目の切れ目位置とを、ずらして構成し、前記剥離導入部が、途中で切れにくいようにしたことを特徴とする請求項１に記載の剥離用ミシン目の構造。
【請求項３】
テープロールとりわけ一方の面を粘着面で構成した帯状のテープを粘着面が表側になるように巻き取られた粘着テープロールにおいて、剥離誘導部を持つミシン目を、テープの巻き終わり側に設けたことを特徴とする、請求項１及び請求項２に記載の剥離用ミシン目の構造。
【発明の詳細な説明】
【技術分野】
【０００１】  本発明は、円筒状または筒状に巻かれたプラスチックフィルムやロール状に巻かれたテープ等を剥離するミシン目の構造技術に関するものである。
【背景技術】
【０００２】  従来ビンやペットボトルにラベルとして巻かれている紙やプラスチックフィルムはリサイクルのためこれらのラベルを剥離する必要があった。【０００３】  そこでカッターなどを用いずに剥離できるように、幅方向に一本のミシン目、または二本のほぼ平行したミシン目を入れ、これに沿って剥離する構造が一般に用いられている。【０００４】  またゴミ取り器具に用いられている粘着テープロールにおいても同様に、幅方向に剥離のために一本の切れ目を持つミシン目（例えば、特許文献１、２参照）、またはほぼ平行に設けられた二本のミシン目を入れる構造（例えば、特許文献４参照）などが採られている。
【特許文献１】  特開２００２−３１２１９公報
【特許文献２】  特開２００２−１７７１８２公報
【特許文献３】  特開２００２−１７７１８４公報
【特許文献４】  特開２００１−３１１０５９公報
【０００５】  これらのミシン目はそれに沿ってフィルムやテープを切断しながら剥離させるためのもので、通常丸穴のミシン目、破線状のミシン目が多く、ほぼ平行した二本のミシン目を持つ場合は、これらの同じミシン目が平行して設けられている。
【発明の開示】
【発明が解決しようとする課題】
【０００６】  以上に示した従来のミシン目による剥離方法のうち、一本のミシン目のみによる場合には、フィルムやテープをミシン目の端から剥がし始めるが、剥がす力がミシン目に対してフィルム表面の直角方向に引っ張り力として加わるため、ミシン目の途中から外れて最後まで剥離できないケースが多かった。【０００７】  そのためミシン目通りにフィルムやテープを切り離せる方法として、ミシン目に対してせん断力を働かせることが考えられる。即ちミシン目に対して一方の側のフィルムやテープを垂直方向に持ち上げる必要がある。【０００８】  そのためにミシン目を二本入れて、その間の剥離導入部分をフィルムやテープの垂直方向に剥がしていけば、ミシン目に沿って剥離することができる。【０００９】  この二本のミシン目による方法では、二本のミシン目間の剥離導入部分のみ剥離して、その後残った本体の部分を剥離することになるが、剥離部材が２個となりゴミとして散逸する欠点があった。【００１０】  またこの二本のミシン目による方法も、従来のミシン目の構造では、素材の性質や強度によって剥離導入部が途中から切れてしまうこともあった。【００１１】  特に粘着テープロールの場合においては、テープの粘着力が強いため、二本のミシン目間の細い剥離導入部分が、剥がす途中で切れてしまう欠点があった。【００１２】  また粘着テープロールでは、汚れた表面の粘着テープのみを剥がさなければならないが、剥離する方向によって二枚のテープを一緒に剥がしてしまう欠点があった。
【問題を解決するための手段】
【００１３】  まずほぼ平行した二本のミシン目を設けて剥離導入部とし、一方のミシン目の一部に剥離誘導部を設けることによるて、剥がした剥離導入部から剥離誘導部を介してし、表面全体のフィルムまたはテープを剥離させる。
【００１４】  剥離誘導部の幅は二本のミシン目の間隔とほぼ同じか、それよりも長くする。
【００１５】  剥離導入部の二本のミシン目は、ミシン目に沿って確実に剥がすために破線状の切れ目をつけ、二本のミシン目の夫々の切れ目を互い違いにすると共に、切れ目の長さを切れ目のない部分より長くする。この比率はフィルムやテープの材質の強度および粘着力の強さにより加減する。
【００１６】  粘着テープロール等のロール状に巻かれたテープ類にあっては、剥離誘導部のある側のミシン目をテープの巻き終わり側に設ける。これにより、剥離誘導部から表面テープ一枚のみの剥離が確実に可能となる。
【発明の効果】
【００１７】  上記の通り剥離誘導部を設けることにより、剥離導入部に連動して表面のフィルムやテープ全体を剥離することができ、一つの連続した動作で剥離作業を完結することができる。
【００１８】  また剥離導入部のミシン目における切れ目を左右互い違いにすることにより、確実に剥離導入部を剥がすことができ、剥離誘導部に繋げることができる。
【００１９】  またテープロールにおいてはテープの巻き終わり側に剥離誘導部を設けることにより、無駄な二重剥離を防ぐことができる。
【発明を実施するための最良の形態】
【００２０】  次に本発明の実施形態を図面を参照しながら説明する。図１は本発明の一実施形態の粘着テープロールの斜視図である。【００２１】  テープの巻き芯５に粘着剤が表になるように粘着テープが１１の方向に巻かれている。粘着テープは幅方向全面に粘着剤が塗布されていても、また幅方向の一端または両端に非塗布部分があってもよいが、剥離導入部の始点２０のある側端には粘着剤がない方が望ましい。【００２１】  第一の切れ目を持つミシン目７は粘着テープロールの全幅にわたって設けられ、粘着テープロール幅両側端には切れ目が必ず設けられている。【００２２】  第二の切れ目を持つミシン目９を、第一のミシン目に対して粘着テープの巻き終わり側に数ミリから十数ミリの間隔を隔ててほぼ平行に設け、これらの両ミシン目に挟まれた剥離導入部１３を設ける。【００２３】  第二の切れ目を持つミシン目９は、粘着テープロール幅の一方の側端に切れ目をつけて他端側に向かってミシン目を設け、図２に示すとおり他端側にミシン目のない剥離誘導部１９を設ける。このミシン目のない剥離誘導部１９の長さは第一のミシン目と第二のミシン目の間隔幅と同等または長いことが望ましい。【００２４】  ミシン目の切れ目は図２に示すように破線状にし、平行した二本のミシン目の切れ目を互い違いに設ける。即ち一方のミシン目の切れ目のない部分１５に対向して、他方のミシン目には破線の切れ目１７を設ける。【００２５】  破線の切れ目１７の長さは、切れ目のない部分１５の長さより長くする。ミシン目の形状は破線状以外の例えば図３のハの字型などでも良い。切れ目を加工するための切削歯の製作を考慮すると、切れ目は直線状の形状が最も安価に作成できる。【００２６】  切れ目の加工は、粘着テープをロールにしてから加工するか、粘着テープを巻き芯に巻くときに一回転ごとに切れ目加工しながら巻き取る方法でも良い。【００２７】  第一のミシン目７と第二のミシン目９に挟まれた剥離導入部１３は、図２に示す剥離導入部の始点２０から剥がし、表面粘着テープの剥離誘導部１９に繋げて図１に示すように表面粘着テープを粘着テープの巻き終わり２３方向に向けて剥離できる。【００２８】  これにより剥離導入部１３の始点２０から始まる一連の連続した操作で表面粘着テープのみを剥離することができ、無駄な二重剥離を起こすこともない。
【実施例】
【００２９】  その他の実施例としてペットボトル等のラベルに利用した例を図４に示す。この場合のミシン目は材質によって丸穴、楕円穴、破線状の切れ目などを選ぶと良い。【００３０】  図４（ａ）はペットボトルのラベルに適用した例であるが、剥離導入部１３の幅が狭くても、広くても、剥離誘導部１９を設けることにより簡単にラベルを剥離することができる。【００３１】  図４（ｂ）は牛乳瓶のプラスチックキャップを保護するためのラベルで、ラベルを剥がすことによりキャップを開けることができる。従って本発明の剥離誘導部１９を持つ剥離導入部を設けることによりラベルが簡単に剥離できる。
【産業上の利用可能性】
【００３２】  筒状に貼り付けたフィルムやロール状に巻かれたテープ類のすべてに利用でき、ロール状に巻かれたテープ類に対しては、表面のテープを一枚づつ確実に剥離することができ、手間と無駄を無くすことができる。
【図面の簡単な説明】
【００３３】
【図１】本発明による粘着テープロールの一実施例の斜視図。
【図２】上記実施例の平面図およびミシン目部分の拡大図。
【図３】ミシン目の切れ目の形状例。
【図４】ペットボトル等のラベルにおける実施例。
【符号の説明】
【００３４】  １粘着テープロール
３粘着テープ
５ロール巻き芯
７第一のミシン目
９第二のミシン目
１１粘着テープの巻き終わり方向
１３剥離導入部
１３１剥離された剥離導入部
１５ミシン目の切れ目のない部分
１７ミシン目の切れ目の部分
１９剥離誘導部
２１剥離導入部の始点
２３粘着テープロールの巻き終わり
２５ペットボトルのラベル
２７牛乳瓶のキャップ保護ラベル
【図１】
2008044669.tif 000003
【図２】
2008044669.tif 000004
【図３】
2008044669.tif 000005
【図４】
2008044669.tif 000006